(57)【要約】【課題】可動部材を有する遊技機にあって、その故障をいち早く発見することができる遊技機を提供する。【解決手段】パチンコ機１の遊技盤５には、その略中央部において可変表示装置１４が取着されている。可変表示装置１４は、液晶表示部２０と、該液晶表示部２０を囲むようにして設けられたセンターフレーム２１とを有している。センターフレーム２１は、前ベース枠、後ベース枠及びステージ部材等を備える。センターフレーム２１には、所定条件が成立した場合に、駆動手段によって所定の動作が導出されるよう構成された可動部材が設けられている。可動部材に特定の故障が生じた場合、前記可動部材が自身の正常時にはとらない姿勢をとるよう構成されている。【選択図】　　　　　図１
2004065443.tif 000002
【特許請求の範囲】
【請求項１】
所定条件が成立した場合に、駆動手段によって所定の動作が導出されるよう構成された可動部材を備えた遊技機において、
前記可動部材に特定の故障が生じた場合、前記可動部材が自身の正常時にはとらない姿勢をとるよう構成したことを特徴とする遊技機。
【発明の詳細な説明】
【０００１】
【発明の属する技術分野】
本発明は、パチンコ機等の遊技機に関するものである。
【０００２】
【従来の技術及び発明が解決しようとする課題】
従来、パチンコ機等の遊技機にあっては、その遊技盤面等において、可動部材が設けられることがある。前記可動部材は、所定条件が成立した場合、例えばモータ等の駆動手段によって作動させられる。
【０００３】
ところで、可動部材に関し、何らかの故障が生じたような場合には、駆動手段からの駆動力がうまく伝達されず、予定していた動きを導出できない場合があり、例えば、可動部材が常に停止したままの状態となってしまうおそれがある。このような場合において、所定条件が成立していないときはもとより、所定条件が成立している場合であっても、遊技者等はその故障に気づかないおそれがある。
【０００４】
なお、かかる不具合は、パチンコ機に限られるものではなく、可動部材が設けられる各種遊技機全般にわたって内在するものである。
【０００５】
本発明は、上記した事情に鑑みてなされたものであり、可動部材を有する遊技機にあって、その故障をいち早く発見することができる遊技機を提供することを１つの目的とするものである。
【０００６】
【課題を解決するための手段及び発明の効果】
上記の目的を達成するために有効な手段を以下に示す。なお、必要に応じてその作用、効果等についても言及する。
【０００７】
手段１．所定条件が成立した場合に、駆動手段によって所定の動作が導出されるよう構成された可動部材を備えた遊技機において、
前記可動部材に特定の故障が生じた場合、前記可動部材が自身の正常時にはとらない姿勢をとるよう構成したことを特徴とする遊技機。
【０００８】
手段１によれば、所定条件が成立した場合に、駆動手段によって可動部材が作動され、所定の動作が導出される。さて、手段１では、可動部材に特定の故障が生じた場合、可動部材が自身の正常時にはとらない姿勢をとるよう構成されている。このため、かかる姿勢の変化に気づいた遊技者等は、いち早く故障を察知できる。従って、より速やかに交換等の措置をとることが可能となる。ここで、「特定の故障」とあるのは、例えば可動部材を軸支する軸支部分の損傷、脱落等が挙げられる。
【０００９】
手段２．所定条件が成立した場合に、駆動手段によって所定の動作が導出されるよう構成された可動部材を備えた遊技機において、
前記可動部材に特定の故障が生じた場合、所定条件の成立の有無に関わらず、前記可動部材が正常動作時にはとらない姿勢をとるよう構成したことを特徴とする遊技機。
【００１０】
手段２によれば、可動部材に特定の故障が生じた場合、所定条件の成立の有無に関わらず、可動部材が正常動作時にはとらない姿勢をとるよう構成されている。このため、駆動手段が動作している場合であっても、動作していない場合であっても、かかる姿勢の変化によって遊技者等は故障に速やかに気づくことができる。従って、より速やかに交換等の措置をとることが可能となる。
【００１１】
手段３．支持軸において回動可能に軸支され、所定条件が成立した場合に操作軸に対し、駆動手段からの駆動力が伝達されることによって所定の動作が導出されるよう構成された可動部材を備えた遊技機において、
前記支持軸及び操作軸の少なくとも一方に関し特定の故障が生じた場合、所定条件の成立の有無に関わらず、前記可動部材が正常動作時にはとらない姿勢をとるよう構成したことを特徴とする遊技機。
【００１２】
手段３によれば、可動部材は支持軸において回動可能に軸支されており、所定条件が成立した場合に、駆動手段からの駆動力が操作軸に伝達され、可動部材が回動させられ、所定の動作が導出される。さて、手段３では、支持軸及び操作軸の少なくとも一方に関し特定の故障が生じた場合、所定条件の成立の有無に関わらず正常動作時にはとらない姿勢をとるよう構成されている。このため、かかる姿勢の変化に気づいた遊技者等は、支持軸及び操作軸の少なくとも一方に関する故障をいち早く故障を察知できる。従って、より速やかに交換等の措置をとることが可能となる。
【００１３】
手段４．支持軸において回動可能に軸支され、所定条件が成立した場合に操作軸に対し、駆動手段からの駆動力が伝達されることによって所定の動作が導出されるよう構成された可動部材を備えた遊技機において、
前記支持軸は、前記可動部材の非重心位置に設定されており、前記操作軸に関し特定の故障が生じた場合、所定条件の成立の有無に関わらず、前記可動部材が正常動作時にはとらない姿勢をとるよう構成したことを特徴とする遊技機。
【００１４】
手段４によれば、可動部材は支持軸において回動可能に軸支されており、所定条件が成立した場合に、駆動手段からの駆動力が操作軸に伝達され、可動部材が回動させられ、所定の動作が導出される。さて、手段４では、前記操作軸に関し特定の故障が生じた場合、前記支持軸が可動部材の非重心位置に設定されていることに基づいて、所定条件の成立の有無に関わらず、可動部材は正常動作時にはとらない姿勢をとる。このため、かかる姿勢の変化に気づいた遊技者等は、操作軸に関する故障をいち早く察知できる。従って、より速やかに交換等の措置をとることが可能となる。
【００１５】
手段５．支持軸において回動可能に軸支され、所定条件が成立した場合に操作軸に対し、駆動手段からの駆動力が伝達されることによって所定の動作が導出されるよう構成された可動部材を備えた遊技機において、
前記操作軸は、前記可動部材の非重心位置に設定されており、前記支持軸に関し特定の故障が生じた場合、所定条件の成立の有無に関わらず、前記可動部材が正常動作時にはとらない姿勢をとるよう構成したことを特徴とする遊技機。
【００１６】
手段５によれば、可動部材は支持軸において回動可能に軸支されており、所定条件が成立した場合に、駆動手段からの駆動力が操作軸に伝達され、可動部材が回動させられ、所定の動作が導出される。さて、手段５では、前記支持軸に関し特定の故障が生じた場合、前記操作軸が可動部材の非重心位置に設定されていることに基づいて、所定条件の成立の有無に関わらず、可動部材は正常動作時にはとらない姿勢をとる。このため、かかる姿勢の変化に気づいた遊技者等は、支持軸に関する故障をいち早く察知できる。従って、より速やかに交換等の措置をとることが可能となる。
【００１７】
手段６．支持軸において回動可能に軸支され、所定条件が成立した場合に操作軸に対し、駆動手段からの駆動力が伝達されることによって所定の動作が導出されるよう構成された可動部材を備えた遊技機において、
前記支持軸及び操作軸は、いずれも前記可動部材の非重心位置に設定されており、当該支持軸又は操作軸に関し特定の故障が生じた場合、所定条件の成立の有無に関わらず、前記可動部材が正常動作時にはとらない姿勢をとるよう構成したことを特徴とする遊技機。
【００１８】
手段６によれば、可動部材は支持軸において回動可能に軸支されており、所定条件が成立した場合に、駆動手段からの駆動力が操作軸に伝達され、可動部材が回動させられ、所定の動作が導出される。さて、手段６では、前記操作軸又は支持軸に関し特定の故障が生じた場合、前記支持軸及び操作軸がいずれも可動部材の非重心位置に設定されていることに基づいて、所定条件の成立の有無に関わらず、可動部材は、正常動作時にはとらない姿勢をとる。このため、かかる姿勢の変化に気づいた遊技者等は、支持軸或いは作動軸に関する故障をいち早く察知できる。従って、より速やかに交換等の措置をとることが可能となる。
【００１９】
手段７．前記可動部材は、遊技面に沿って略平行に配置されており、かつ、正面非円形状に形成されていることを特徴とする手段１乃至６のいずれかに記載の遊技機。
【００２０】
手段７によれば、可動部材が正面非円形状、つまり異形形状に形成されているため、当該可動部材が正常動作時にとらない姿勢をとったときに、その旨を把握しやすい。なお、「可動部材は、非円形状の所定形状に象られていること」としてもよいし、「可動部材の表面には、非対称状の模様又は輪郭が付されていること」としてもよい。
【００２１】
手段８．前記可動部材は、並列状態で複数設置されていることを特徴とする手段１乃至７のいずれかに記載の遊技機。
【００２２】
手段８によれば、１つの可動部材に故障が生じた場合に、他の可動部材との相対比較により、正常動作時にはとらない姿勢をとっていることを見つけやすい。結果として、早期に措置を講じることができるという作用効果がより確実に奏されることとなる。
【００２３】
手段９．前記可動部材が正常動作時にはとらない姿勢をとることにより、特定の故障を教示する情報が視認可能となるよう構成したことを特徴とする手段１乃至８のいずれかに記載の遊技機。
【００２４】
手段９によれば、可動部材が正常動作時にはとらない姿勢をとることにより、特定の故障を教示する情報が視認可能となる。このため、遊技者等は、可動部材の姿勢のみならず、視認される情報も相まって、特定の故障を認識することができる。
【００２５】
手段１０．前記所定条件が成立した場合には、該所定条件が成立しない場合と比較して遊技者に不利益を与えにくい状態とされるよう構成されていることを特徴とする手段１乃至９のいずれかに記載の遊技機。
【００２６】
手段１０によれば、所定条件が成立した場合には、該所定条件が成立しない場合と比較して遊技者に不利益を与えにくい。換言すれば、所定条件が成立した場合には、所定条件が成立しない場合よりも遊技者は遊技を継続すべき状態にあるといえる。かかる不利益を与えない状態下にあって、可動部材の所定の動作が導出される。つまり、可動部材が所定の動作をしていることを視認することで、遊技者は現在が前記不利益を与えない状態であることを把握できる。ここで、可動部材に特定の故障が生じた場合、駆動手段が作動しても可動部材が所定の動作を導出しないケースも生じうる。かかる場合、遊技者が前記不利益を与えない状態であることを知らずに遊技を放棄してしまうことが懸念される。この点、上記各手段のように、特定の故障が生じた場合に、可動部材は通常動作時にとらない姿勢をとるよう構成されているため、遊技者は、可動部材の前記故障を速やかに察知することができる。そのため、遊技者が現在が不利益を与えにくい状態であることを知らずに席を離れてしまうといった事態、結果的に遊技者にとって損失等を与えてしまうといった事態を抑制することができる。
【００２７】
なお、「遊技者に不利益を与えにくい状態」とあるのを、「遊技者にとって望ましい状態」或いは「遊技者に有利な状態」としてもよい。具体的な「状態」としては、「特定条件が成立した場合に遊技者に有利な特別遊技状態を発生させるよう構成された遊技機において、前記特定条件が通常モード状態に比べて成立しやすい、高確率モード（確率変動モード＝確変モード）であること」、或いは「作動条件が成立することで可変表示装置の識別情報が変動表示され、所定時間後に確定停止表示されるよう構成されるとともに、確定停止表示された識別情報が特定停止態様である場合に遊技者に有利な特別遊技状態を発生させるよう構成された遊技機において、前記所定時間が通常モード状態に比べて短い、時間短縮モード（＝時短モード）であること」としてもよい。
【００２８】
手段１１．手段１乃至１０の遊技機は、遊技媒体として遊技球を使用するものであって、前記可動部材は、前記遊技球に接触しないよう、識別情報を変動表示可能な可変表示装置の周囲を囲むセンターフレームに設置されていることを特徴とする遊技機。
【００２９】
手段１１によれば、可動部材に特定の故障が生じた場合でも、遊技の継続に直接的な支障がある訳ではない。そのため、遊技者は、遊技場関係者等に故障等を知らせた上で、交換等の作業に取りかかるまでの間、遊技を続行することができる。
【００３０】
手段１２．前記所定の動作は、所定の軌跡に沿った回動動作、又は往復動作であることを特徴とする手段１乃至１１のいずれかに記載の遊技機。
【００３１】
手段１２によれば、可動部材は、正常動作時には所定の軌跡に沿って動作するため、故障時との相違を見分けやすい。結果として、より早期の発見が可能となる。
【００３２】
手段１３．手段１乃至１２のいずれかにおいて、遊技機はパチンコ遊技機であること。中でも、パチンコ遊技機の基本構成としては、操作ハンドルを備えていてそのハンドル操作に応じて遊技球を所定の遊技領域に発射させ、遊技球が遊技領域内の所定の位置に配置された作動口に入賞することを必要条件として可変表示装置の表示部において変動表示されている識別情報が所定時間後に確定停止表示されることが挙げられる。また、特別遊技状態発生時には遊技領域内の所定の位置に配置された可変入賞装置が所定の態様で開放されて遊技球を入賞可能とし、その入賞個数に応じた有価価値（景品球等のみならず、磁気カードへの書き込み等も含む）が付与されることが挙げられる。なお、この場合、遊技面を構成する遊技盤は、外枠に対し開閉可能に支持された前面枠に装着される。
【００３３】
手段１４．手段１乃至１２のいずれかにおいて、遊技機は回胴式遊技機であること。ここで、回胴式遊技機の構成としては、「複数の識別情報からなる識別情報列（具体的にはリールであり、識別情報はリールに付されたシンボルである）を変動表示（具体的にはリールの回動である）した後に識別情報を確定停止表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段を備えた回胴式遊技機」となる。なお、回胴式遊技機にあっては、前記リール等を具備する可変表示手段を可変表示装置として捉えてもよいし、前記リールとは別途設けられ、前記識別情報に対応する（疑似的な対応であってもよい）識別情報を表示可能な表示装置（例えば液晶表示装置）をここにいう可変表示装置として捉えてもよい。
【００３４】
手段１５．手段１乃至１２のいずれかにおいて、遊技機はパチンコ機とスロットマシンとを融合させた遊技機であること。中でも、前記融合させた遊技機の基本構成としては、「複数の識別情報からなる識別情報列（具体的にはリールであり、識別情報はリールに付されたシンボルである）を変動表示（具体的にはリールの回動である）した後に識別情報を確定停止表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段とを備え、遊技媒体として遊技球を使用するとともに、前記識別情報の変動開始に際しては所定数の遊技球を必要とし、特別遊技状態の発生に際しては多くの遊技球が払い出されるよう構成されてなる遊技機」となる。なお、かかる遊技機にあっては、前記リール等を具備する可変表示手段を可変表示装置として捉えてもよいし、前記リールとは別途設けられ、前記識別情報に対応する（疑似的な対応であってもよい）識別情報を表示可能な表示装置（例えば液晶表示装置）をここにいう可変表示装置として捉えてもよい。
【００３５】
【発明の実施の形態】
以下、パチンコ遊技機（以下、単に「パチンコ機」という）の一実施の形態を、図面に基づいて詳細に説明する。
【００３６】
図１に示すように、パチンコ機１は、外枠２と、該外枠２の前部に設けられ外枠２の一側部にて開閉可能に支持された前面枠３とを備えている。
【００３７】
前面枠３の前面側にはガラス扉枠４が開閉自在に設けられている。前面枠３の後側（ガラス扉枠４の奥、外枠２の内側）には、遊技盤５が着脱可能に装着されている。
【００３８】
ガラス扉枠４の下方には、遊技球Ｂを貯留するための球受皿としての上皿６が設けられている。また、前面枠３の前面下部には、ほぼ中央部において球受皿としての下皿７が設けられている。下皿７の側方には、遊技球発射用ハンドル８が設けられている。ハンドル８は図示しない遊技球発射装置に連結されており、遊技者がハンドル８を回転させることにより、遊技球Ｂが遊技球発射装置から発射される。
【００３９】
遊技盤５には、ルータ加工が施されることによって複数の開口部が形成されており、各開口部には、普通入賞チャッカー１１、可変入賞装置１２、作動チャッカー１３、可変表示装置１４、スルーチャッカー１５等が配設されている。
【００４０】
遊技盤５の一側部には、遊技球発射装置によって発射される遊技球Ｂを遊技盤５の上部に案内する内レール１６ａ及び外レール１６ｂが設けられている。内レール１６ａの下端部付近において、遊技盤５には遊技球Ｂを導出するアウト口１７が形成されている。そして、遊技盤５の下部に流下した遊技球Ｂの多くは、このアウト口１７を通って図示しない球排出路へと案内される。本実施の形態では、遊技盤５のうち内レール１６ａ及び外レール１６ｂによって囲まれ、可変表示装置１４等が配設された部分が、遊技球Ｂが流下可能な遊技領域となっている。
【００４１】
さて、可変表示装置１４は、液晶表示部２０と、該液晶表示部２０を囲むように設けられたセンターフレーム２１とを備えている。
【００４２】
液晶表示部２０には、例えば左図柄列、中図柄列及び右図柄列の３つの表示列が表示される。各図柄列は識別情報としての複数の図柄によって構成されており、これら図柄が各図柄列毎にスクロールするように可変表示される。
【００４３】
より詳しくは、可変表示装置１４の下方に設けられた作動チャッカー１３に遊技球Ｂが入球することに基づいて、可変表示装置１４の液晶表示部２０の図柄が可変表示される。そして、停止された図柄の組合せが予め設定した特定の組合せとなった場合には特別遊技価値が付与される。すなわち、大当たり状態が発生し、可変入賞装置１２の大入賞口が所定の開放状態となり（具体的には所定時間、所定回数だけ開く）、遊技球Ｂが入賞しやすい状態になる。なお、可変入賞装置１２は、通常、遊技球Ｂが入賞できない状態又は入賞し難い状態になっている。
【００４４】
また、周知のとおり、前記普通入賞チャッカー１１、可変入賞装置１２、作動チャッカー１３に遊技球Ｂが入球することに基づいて、上皿６又は下皿７に対し所定数の景品球（遊技球Ｂ）が払い出される。また、遊技盤５には、遊技球Ｂの流下方向を適宜分散、調整等するために多数の釘（但し便宜上、符号を省略する）が植設されているとともに、風車等の各種部材（役物）が配設されている。上記釘や風車等によって本実施の形態における案内手段が構成される。
【００４５】
次に、上記センターフレーム２１について図２乃至図４を参照しつつ説明する。枠体としてのセンターフレーム２１は、中央部が前後方向に貫通した前ベース枠２２及び後ベース枠２３を備え、全体として枠形状となっている。本実施の形態では、前ベース枠２２がベース枠を構成している。前ベース枠２２は、樹脂製の本体表面にメッキ層が設けられることで鏡面加工が施されている。つまり、前ベース枠２２は全体として、銀色の光沢を放つよう表面加工が施されている。
【００４６】
後ベース枠２３の中央部には前記液晶表示部２０に対応した略矩形状の窓枠部２４が形成されている。窓枠部２４の周囲には、その前端部から遊技盤５に沿って略平板状の上板部２５、右板部２６、左板部２７及び下板部２８が延出されている。
【００４７】
上板部２５は、その左側周縁部が窓枠部２４の左上端部近傍から上方に向かって延び、上側周縁部が窓枠部２４の左端部近傍から左右方向略中央部までの範囲にかけてほぼ窓枠部２４の上辺部に沿って形成され、右側周縁部が前記上側周縁部の右端部近傍から窓枠部２４の右上端部近傍に向けて下方に傾斜しているように形成されている。
【００４８】
右板部２６は、その上側周縁部が上板部２５の右側周縁部から連なって右方向に向かって下方へ傾斜し、右側周縁部が上側周縁部の右端部から窓枠部２４の右下端部近傍に向けて緩やかに湾曲しているように形成され、全体として下方に向かうにつれ先細りした形状となっている。
【００４９】
左板部２７は、その上側周縁部が窓枠部２４左上端部近傍から左方向に向かって延び、左側周縁部が窓枠部２４の上端部近傍から上下方向略中央部をやや過ぎた位置までの範囲においてほぼ窓枠部２４の左辺部に沿って形成され、下側周縁部が左側周縁部の下端部から窓枠部２４の左下端部近傍に向けて緩やかに湾曲しているように形成されている。
【００５０】
下板部２８の下側周縁部は左右両板部２６，２７の周縁部から連なるように下に凸の略円弧形状となっている。
【００５１】
さて、右板部２６には前後方向に貫通した右開口部３０が設けられている。右開口部３０は右板部２６に対しかなりの領域を占め、その形状も右板部２６と略同一形状となっている。右開口部３０には当該右開口部３０と略相似形状の右透光パネル３１が取着されている。右透光パネル３１は、略同一形状の前パネル３２、後パネル３３及び保護パネル３４が重ね合わされた複層構造となっている。重ね合わせの順序は前方より保護パネル３４、前パネル３２、後パネル３３の順となっている。各パネル３２，３３，３４は、本実施の形態においては透光性を有する透明又は半透明の樹脂により形成されている。但し、前パネル３２、後パネル３３は、透光性を有する部材で有れば、樹脂に限らず他の材質のもの例えばガラス等でもよい。
【００５２】
図５に示すように、前パネル３２の前面側（光の出射面側）、後パネル３３の背面側（光の入射面側）には、それぞれ複数の直線状凸部３５が設けられている。本実施の形態では、前後両パネル３２，３３における各直線状凸部３５はその断面形状が略半円形状をなし、所定方向に沿って延びている。詳しくは、前パネル３２では、鉛直方向に対して斜め４５度左下がりの傾きに沿って延びた複数の直線状凸部３５が列状に並んでいる。後パネル３３では、鉛直方向に対して斜め４５度右下がりの傾きに沿って延びた複数の直線状凸部３５が列状に並んでいる。従って、前後両パネル３２，３３が重ね合わされた状態では、前後両パネル３２，３３に設けられた直線状凸部３５は互いに略直交した状態となる。なお、前後両パネル３２，３３における直線状凸部３５の配列ピッチは後述するＬＥＤ４３の大きさと比較してより微細なものとなっている。
【００５３】
同様に、左板部２７にも左開口部３７が設けられ、当該左開口部３７には左透光パネル３８が取着されている。なお、左透光パネル３８の構成は、上記右透光パネル３５と略同一のためその説明を省略する。
【００５４】
一方、後ベース枠２３の背面側には各種電飾部材が取着されている。詳しくは、右板部２６の背面側には電飾部材を配設するための右側部取付部材４０が取着されている。右側部取付部材４０は、電飾部材が係止される係止板４１と、当該係止板４１から前方に向けて突出した複数の支柱部４２とを有している。右側部取付部材４０は、各支柱部４２の先端が右板部２６の背面に当接した状態で所定の固定手段により固定されている。従って、電飾部材が前記右透光パネル３１から所定間隔をおいて配置されることとなる。本実施の形態では、電飾部材として、係止板４１の前面側において複数のＬＥＤ４３を有する右側部ＬＥＤ基板４４が取着されている。
【００５５】
一方、左板部２７の背面側にも同様に、左側部ＬＥＤ基板４５が左側部取付部材４６を介して取着されている。従って、左側部ＬＥＤ基板４５も同様に左透光パネル３８から所定間隔をおいて配置されることとなる。
【００５６】
さらに、上板部２５の右側周縁部及び右板部２６の上側周縁部の上方の後方位置において、右上側部ＬＥＤ基板４７が右上部取付部材４８を介して取着されている。なお、右上部取付部材４８も係止板５０及び複数の支柱部４９を有しており、各支柱部４９の先端は上板部２５又は右板部２６の背面に当接状態で固定されている。また、右上部取付部材４８の係止板５０は、前記右側部取付部材４０の係止板４１と略面一となるように配置されている。従って、右上部ＬＥＤ基板４７の配置位置と、右側部ＬＥＤ基板４４の配置位置とは前後方向に略同一位置となっている。
【００５７】
さて、前ベース枠２２は、その下部において上記遊技盤５の開口部にはめ込まれる嵌込み部５１と、その上部において嵌込み部５１と連なった上梁部５２とを備えている。嵌込み部５１は、右板部２６の右側周縁部、左板部２７の左側周縁部及び下板部２８の下側周縁部に沿って形成され、略Ｕ字形状となっている。嵌込み部５１及び上梁部５２の周囲には遊技盤５面上に配設される複数のフランジ部５３が形成されている。
【００５８】
上梁部５２は、その両側部が嵌込み部５１の左右両端部より略上方に向かって延出され、その中央部が上に凸の略円弧形状となっている。上梁部５２の前面側には、当該上梁部５２のほぼ全域において、前方に向けて突出した天井部５４が設けられている。天井部５４の頂上部には遊技球Ｂが通過可能な開口部５５が形成されている。
【００５９】
上梁部５２の左側部には内方向に延出された下垂部５７が設けられている。下垂部５７の下側周縁部は、上梁部５２の左端部近傍から右方向に向けて延び、右方向に向かうにつれ上方に向けて緩やかに湾曲し、さらに右方向に向かうにつれ徐々にその傾きが略水平方向、斜め右下方向へとなるように緩やかに湾曲した形状となっており、その右端部が前記開口部５５の右端部の下方位置をやや越えた位置まで達している。また、開口部５５の右端部近傍から下方へ延出された下垂部５７の右側周縁部は、所定位置より前記下側周縁部の右端部に向けて斜め右下がりに傾斜している。
【００６０】
下垂部５７の前面側には各種役物が取着され、背面側には前記役物を駆動させる駆動機構が設けられている。詳しくは、図６に示すように、下垂部５７の背面側には取付凹部６０が形成されている。取付凹部６０内には駆動伝達部材６１が左右方向に摺動可能に取着されている。駆動伝達部材６１は、上下方向に延びる縦軸部６２と、縦軸部６２の下端部より左側（図６における右側）へ摺動方向に沿って延びる左操作部６３と、縦軸部６２の上端部より右側へ摺動方向に沿って延びる右操作部６４とから構成されている。
【００６１】
縦軸部６２には前後方向に貫通し上下方向に長い縦長孔６５が設けられている。左操作部６３と右操作部６４にはそれぞれ前後方向に貫通し摺動方向に長い左長孔６６、右長孔６７が形成されている。当該長孔６６，６７にはそれぞれ下垂部５７の背面側から突出したボス６９，７０が差し込まれている。
【００６２】
下垂部５７には、ボス６９の左側、ボス７０の右側においてそれぞれ前後方向に貫通し摺動方向に長い略円弧状の左円弧長孔７１、右円弧長孔７２が形成されている。各円弧長孔７１，７２は下に凸となる円弧形状となっている。
【００６３】
円弧長孔７１，７２に対応するように、左操作部６３及び右操作部６４の先端部にはそれぞれ前後方向に貫通し上下方向に長い左端長孔７３、右端長孔７４が形成されている。
【００６４】
下垂部５７の背面側には、前記取付凹部６０を覆い、駆動伝達部材６１の脱落を防止する取付カバー７５が取着されている（図２等参照）。取付カバー７５には、上記縦軸部６５の位置に対応して前後方向に貫通した略円形の開口部７５ａが形成されている。
【００６５】
取付カバー７５の背面側には開口部７５ａの後方において駆動手段を構成するモータ７６が取着されている。モータ７６の回転軸の先端部には開口部７５ａに差し込まれる円盤体７７が取着されている。円盤体７７の前面側にはモータ７６の回転軸線上から外れた位置において前方へ突出した棒状凸部７８が設けられている。棒状凸部７８は上記縦長孔６５に差し込まれている。
【００６６】
一方、下垂部５７の前面側には複数の薄板状の装飾パネル８０が取着され、その前面側には上記左円弧長孔７１、右円弧長孔７２の位置に対応してそれぞれ大可動部材８１、中可動部材８２が回動可能に軸支されている。本実施の形態では、これら大可動部材８１、中可動部材８２によって可動部材が構成されている。これら大可動部材８１、中可動部材８２は、いずれも宇宙船をモチーフにして構成されており、その外形形状も宇宙船の外形形状（非円形状）をなしている。また、その表面には、宇宙船を表出する輪郭、模様等が付されている。なお、各装飾パネル８０には左円弧長孔７１、右円弧長孔７２に対応した図示しない孔部が形成されている。さらに、中可動部材８２の右側には宇宙船をモチーフにした小固定部材８３が取着されている。下垂部５７の前面側には、透明又は半透明の役物カバー８５が取着されている。役物カバー８５は、下垂部５７と略同一形状で断面凹形状に構成されており、その右側壁部８６は下垂部５７の右側周縁部に沿って傾斜している。
【００６７】
ここで大可動部材８１及び中可動部材８２に関連した構成部分について詳しく説明する。大可動部材８１及び中可動部材８２の上部にはそれぞれ前後方向に貫通した軸孔８７，８８が形成されている。軸孔８７，８８は、それぞれ大可動部材８１及び中可動部材８２の幅方向略中央部の上部（重心位置とは異なる位置）にそれぞれ形成されている。軸孔８７，８８にはそれぞれ支持軸としての軸棒８９，９０が差し込まれている。下垂部５７の前面側及び役物カバー８５の背面側には、軸棒８９を受ける一対の軸受け部９１，９２、軸棒９０を受ける一対の軸受け部９３，９４がそれぞれ相対向するように形成されている。
【００６８】
大可動部材８１及び中可動部材８２の背面側には、それぞれ軸孔８７，８８の下方において、上記左円弧長孔７１、右円弧長孔７２の位置に対応するように棒状の操作軸としての操作子９５，９６が後方に向けて突出形成されている。操作子９５，９６はそれぞれ左円弧長孔７１、右円弧長孔７２を介して上記左端長孔７３、右端長孔７４に差し込まれている。本実施の形態において、操作子９５，９６は、幅方向の一側寄り（重心位置とは異なる位置）にそれぞれ形成されている。
【００６９】
上記構成に基づき、モータ７６が回転駆動させられると、この回転動作が円盤体７７を介して駆動伝達部材６１に伝達され、駆動伝達部材６１が左右方向に往復動する。そして、駆動伝達部材６１の往復動作が操作子９５，９６を介して大可動部材８１、中可動部材８２に伝達される。大可動部材８１、中可動部材８２は軸棒８９，９０を中心に所定の軌跡に沿って往復回動（揺動）する。
【００７０】
さて、下垂部５７の下部には、前ベース枠２２の左右方向略中央部において報知表示部１００が取着されている。報知表示部１００は、下垂部５７に固定された基部１０１と、基部１０１の前面側に取着された透光性レンズ１０２と、透光性レンズ１０２の前面側を覆う被覆部１０３と、基部１０１の背面側に取着された報知用ＬＥＤ基板１０４とにより構成されている。
【００７１】
報知用ＬＥＤ基板１０４には複数のＬＥＤ１０５が設けられている。基部１０１には各ＬＥＤ１０５に対応した複数の孔部１０６が形成され、透光性レンズ１０２の前面側には各ＬＥＤ１０５に対応して複数の絵柄が象られている。被覆部１０３には前記各絵柄と略同一形状の絵柄孔１０７が形成されている。
【００７２】
下垂部５７の右側には、上記嵌込み部５１の右端部より上記右板部２６の上側周縁部に沿って延出された天板部１１０が設けられている。天板部１１０の先端部は下垂部５７の右端部に連接されている。天板部１１０の略中央部には上下方向に貫通した監視孔１１２が形成されている。これにより、下垂部５７の右側において長窓部１１３が形成される。長窓部１１３は上記右上部ＬＥＤ基板４７の前方に位置している。
【００７３】
長窓部１１３には当該長窓部１１３と略同一形状の右上透光パネル１１５が取着されている。なお、右上透光パネル１１５の構成は、上記右透光パネル３１や左透光パネル３８とほぼ同様のためその説明を省略する。
【００７４】
さて、前ベース枠２２の右側部には、前記右透光パネル３１及び右上透光パネル１１５の前面側を覆うように透光性を有するレンズカバー１１７が取着されている。本実施の形態では、レンズカバー１１７と、右透光パネル３１及び右上透光パネル１１５とよって囲まれた空間部分によって、上記開口部５５を通過した遊技球Ｂをセンターフレーム２１下部へと案内する球案内流路が形成される。
【００７５】
レンズカバー１１７は、その前面部において、前ベース枠２２の右内側部に沿って湾曲形成された右レンズ部１１８と、右レンズ部１１８の左側部に沿って形成された中レンズ部１１９と、中レンズ部１１９の左側部に沿って形成された左レンズ部１２０とを有している。
【００７６】
各レンズ部１１８，１１９，１２０は、その上端部が上記天井部５４にまで達しており、左右方向の幅が下方に向かうにつれ先細りしている。右レンズ部１１８及び中レンズ部１１９の下端部は上記窓枠部２４の右下端部近傍にまで達しており、左レンズ部１２０の下端部は右中レンズ部１１８，１１９の下端部よりやや上方に位置している。
【００７７】
また、前後方向に対して、各レンズ部１１８，１１９，１２０は、下方に向かうにつれその前面部がより後方へ位置するように緩やかに湾曲している。各レンズ部１１８，１１９，１２０の上端部近傍における前面部は天井部５４の前端部近傍に位置している。右レンズ部１１８及び中レンズ部１１９の下端部は窓枠部２４の前後方向略中央部に位置しており、左レンズ部１２０の下端部は右板部２６の前面部近傍に位置している。
【００７８】
左レンズ部１２０の左側部には、当該左側部から後方へ延出された左側壁部１２１が設けられている。左側壁部１２１の外面には前後方向に沿って延びた複数の直線状凸部１２２が列状に並んで形成されている。
【００７９】
左側壁部１２１は、上記下垂部５７の右端部（上記天板部１１０）より上部分が下垂部５７の形状に合わせて切り欠かれ当該下垂部５７に当接し、それより下部分が前記右板部２６に当接している。
【００８０】
左レンズ部１２０の右側部と中レンズ部１１９の左側部との間には段差が形成されており、中レンズ部１１９がより前方に位置している。当該段差部分には中側壁部１２３が形成されている。
【００８１】
同様に、中レンズ部１１９の右側部と右レンズ部１１８の左側部には段差が形成されており、右レンズ部１１８がより前方へ位置している。当該段差部分には右側壁部１２４が形成されている。また、中右側壁部１２３，１２４の外面には、左側壁部１２１同様に、複数の直線状凸部１２２が形成されている。なお、中側壁部１２３の下端部は遊技球Ｂが通過可能なように切り欠かれている。
【００８２】
左レンズ部１２０の上端部には、上記天井部５４と役物カバー８５との前面側の隙間を覆う被覆部１２５が設けられている。
【００８３】
レンズカバー１１７の背面側には、右レンズ部１１８及び中レンズ部１１９を仕切る右リブ１２６と、中レンズ部１１９及び左レンズ部１２０を仕切る左リブ１２７とが設けられている。これにより、レンズカバー１１７には、右レンズ部１１８、中レンズ部１１９、左レンズ部１２０の背面側において、それぞれ遊技球Ｂが通過可能な右溝部１２８、中溝部１２９、左溝部１３０が形成される。
【００８４】
右リブ１２６及び左リブ１２７は、上記天板部１１０より上部分が切り欠かれ上記右上透光パネル１１５に当接し、それより下部分の一部が上記右透光パネル（保護パネル３４）に当接している。
【００８５】
右リブ１２６の長手方向略中央部より下部全域が切り欠かれ、右溝部１２８と中溝部１２９との間を遊技球Ｂが通過可能となっている。また、左リブ１２７の下端部近傍における一部分が切り欠かれ、中溝部１２９と左溝部１３０との間を遊技球Ｂが通過可能となっている。
【００８６】
一方、保護パネル３４の前面側には、右リブ１２６及び左リブ１２７の切り欠き部分に対応して、誘導リブ１３３と規制リブ１３４とが設けられている。誘導リブ１３３は、遊技球Ｂを左溝部１３０から中溝部１２９へと誘導可能なように段階的にその傾斜角度を変化させつつ右下がりに形成されている。規制リブ１３４は、誘導リブ１３３によって誘導される遊技球Ｂの右方向へ動きを規制するように上下方向に沿って形成されている。
【００８７】
上記構成により、上記開口部５５を通過した遊技球Ｂは、上記役物カバー８５の右側壁部８６に沿って右方向へ流下し、左溝部１３０内へと導かれる。当該遊技球Ｂは左溝部１３０に沿って流下し、誘導リブ１３３及び規制リブ１３４によって中溝部１２９へと導かれる。そして、当該遊技球Ｂは右溝部１２８又は中溝部１２９に沿って流下し、上記中側壁部１２３の切り欠き部より後述するステージ部材１４５へと排出される。
【００８８】
一方、後ベース枠２２の左板部２７（左透光パネル３８）の前面側には、装飾カバー１３８が取着されている。装飾カバー１３８は、上記レンズカバー１１７の下部と略左右対称形状となっている。
【００８９】
さて、嵌込み部５１の下部には、上記下板部２８の下側周縁部の形状に合わせて凹部１４０が形成されている。凹部１４０の左右方向略中央部には、遊技球Ｂを上記作動チャッカー１３の方へ誘導可能な誘導路１４１が形成されている。誘導路１４１は、後部が遊技球Ｂほぼ１つ分の幅に、前部が遊技球Ｂ複数個分の幅に構成されている。また、誘導路１４１の前端部には遊技球Ｂが通過可能な開口部１４２が形成されている。
【００９０】
前ベース枠２２の嵌込み部５１の下部には、凹部１４０を覆うようにしてステージ部材１４５が取付けられている。すなわち、本実施の形態において、凹部１４０は、ステージ部材１４５を収容するための収容領域を構成している。本実施の形態において、ステージ部材１４５及び凹部１４０は、共に、正面からみて全体として下に凸の湾曲形状をなしている。
【００９１】
前記ステージ部材１４５のステージ面（上面）は、左右方向に沿って左右両端部から中央部に向かうにつれ下方へ傾斜し、谷部を経てさらに中央に向かうにつれ上方へ傾斜し、左右方向中央部の山部が凸状に形成されている。つまり、ステージ面は、波状に形成された連続的な湾曲面となっている。当該左右方向中央部（山部）には後方に向けて傾斜した傾斜部１４６が形成されている。一方、後ベース枠２３には、傾斜部１４６に対応するように、窓枠部２４及び下板部２８の左右方向略中央部において誘導溝１４７が形成されている。誘導溝１４７は誘導路１４１の後部に連通している。
【００９２】
上記構成により、例えば上記球案内流路より排出された遊技球Ｂはステージ部材１４５上を転動する（例えば左右に往復転動する）。そして、山部に乗り上げた一部の遊技球Ｂは、傾斜部１４６、誘導溝１４７及び誘導路１４１を通って上記作動チャッカー１３の方へ誘導されるようになっている。
【００９３】
なお、本実施の形態では、ステージ部材１４５の取付状態において、ステージ部材１４５の両側と、それに隣接する前ベース枠２２とがほぼ面一となるよう構成されている。これにより、両者１４５，２２間に段差が形成されないことから取付後の外観品質の向上が図られる。さらには、ステージ面のみならず、それに隣接する前ベース枠２２の一部も遊技球Ｂを連続的に転動せしめることができるようになっている。
【００９４】
本実施の形態において、前記モータ７６は、主たる制御を司る図示しない主基板（制御装置）によって駆動制御されるようになっている。さらに、本実施の形態では、主基板による制御の１つとして、モード切換制御が実行されるようになっている。本実施の形態における遊技モードとしては、通常モード及び確率変動モード（＝高確率モード。以下、「確変モード」と称する）が用意されている。すなわち、例えば３００分の１程度の比較的低確率で前記大当たり遊技状態を発生させる通常モードと、その約５倍である６０分の１程度の高確率で大当たり遊技状態を発生させる確変モードとがある。
【００９５】
本実施の形態では、パチンコ機１の電源投入時においては、通常モードに設定される。また、その後は、大当たり遊技状態となった際に、確変モード又は通常モードのいずれかが選択される。そして、大当たり状態終了後において、当該選択されたモードが実行される。例えば、大当たり遊技状態となったときの図柄（大当たり図柄）が奇数の図柄（例えば「１」、「３」、「５」、「７」のゾロ目）の場合には、大当たり状態終了後の遊技モードが確変モードに設定され、大当たり遊技状態となったときの図柄（大当たり図柄）が偶数（例えば「２」、「４」、「６」、「８」のゾロ目）の場合に、大当たり状態終了後の遊技モードが通常モードに設定される。
【００９６】
さらに、本実施の形態では、上記モータ７６は、所定条件が成立している場合に限り、主基板によって作動させられるようになっている。本実施の形態における所定条件は、「確変モード中であること」である。つまり、上記した確変モード中においては、モータ７６が駆動制御されることで、上述したように、大可動部材８１、中可動部材８２が、軸棒８９，９０を中心に所定の軌跡上を揺動させられる。そして、遊技者は、かかる揺動を視認することで、現在が確変モード中であることを認識することができるようになっている。
【００９７】
かかる構成下、本実施の形態によれば、次のような作用効果が奏される。すなわち、大可動部材８１及び中可動部材８２は、軸棒８９，９０を中心に支持されており、モータ７６からの回転駆動力が操作子９５，９６に伝達されることで揺動される。本実施の形態では、軸棒８９，９０及び操作子９５，９６がいずれも大可動部材８１及び中可動部材８２の非重心位置に対応して設置されている。このため、もしも操作子９５，９６が脱落したり、折れたりしてしまう等の特定の故障が生じた場合には、大可動部材８１、中可動部材８２は、軸棒８９，９０に支持されることとなり、通常動作時はとらない水平姿勢をとることとなる。また、もしも棒軸８９，９０が脱落したり、折れたりしてしまう等の特定の故障が生じた場合には、大可動部材８１、中可動部材８２は、操作子９５，９６に支持されることとなり、通常動作時はとらない、通常時とは反対側に傾いた姿勢をとることとなる。
【００９８】
従って、かかる姿勢の変化に気づいた遊技者等は、操作子９５，９６或いは軸棒８９，９０に関する特定の故障をいち早く察知できる。従って、より速やかに交換等の措置をとることが可能となる。
【００９９】
特に、本実施の形態では、大可動部材８１及び中可動部材８２が正面非円形状、つまり異形形状に形成されているため、当該可動部材８１，８２が正常動作時にとらない姿勢をとったときに、その旨を把握しやすい。しかも、可動部材８１，８２は、並列状態で複数設置されているため、一方の可動部材８１，８２に故障が生じた場合に、他方との相対比較により、正常動作時にはとらない姿勢をとっていることを見つけやすい。結果として、早期に措置を講じることができるという作用効果がより確実に奏されることとなる。
【０１００】
さらに、本実施の形態では、遊技者にとって望ましい確変モード中にずっとモータ７６が駆動される構成となっている。ここで、確変モード中というのは、通常モード時よりも遊技者は遊技を継続すべき状態（不利益を与えにくい状態）にあるといえる。かかる状態下にあって、大可動部材８１及び中可動部材８２の揺動動作が導出される。つまり、大可動部材８１及び中可動部材８２が揺動動作をしていることを視認することで、遊技者は現在が確変モード中であることを把握できる。ここで、大可動部材８１及び中可動部材８２に特定の故障が生じた場合、モータ７６が作動しても大可動部材８１及び中可動部材８２が動作しないケースも生じうる。かかる場合、遊技者が確変モード中であることを知らずに席を離れて遊技を放棄してしまうことが懸念される。この点、本実施の形態のように、特定の故障が生じた場合に、大可動部材８１及び中可動部材８２が通常動作時にとらない姿勢をとるよう構成されているため、遊技者は、大可動部材８１及び中可動部材８２の前記故障を速やかに察知することができる。そのため、遊技者が現在が不利益を与えにくい状態であることを知らずに席を離れてしまうといった事態、結果的に遊技者にとって損失等を与えてしまうといった事態を抑制することができる。
【０１０１】
併せて、大可動部材８１及び中可動部材８２は、遊技球Ｂに直接接触しないようセンターフレーム２１に設置されている。従って、大可動部材８１及び中可動部材８２に特定の故障が生じた場合でも、遊技の継続に直接的な支障がある訳ではない。そのため、遊技者は、遊技場関係者等に故障等を知らせた上で、交換等の作業に取りかかるまでの間、遊技を続行することができる。
【０１０２】
尚、上述した実施の形態の記載内容に限定されず、例えば次のように実施してもよい。
【０１０３】
（ａ）上記実施の形態では可動部材として大可動部材８１及び中可動部材８２の２つの可動部材を並列で設置することとしている。これに対し、１つの可動部材のみ、或いは３つ以上の可動部材が設けられる場合に具体化することもできる。
【０１０４】
（ｂ）上記実施の形態では、通常動作時には大可動部材８１及び中可動部材８２が揺動（回動）動作を行うこととしているが、スライド往復動作等を行う場合に具体化してもよい。また、駆動手段としては、モータ７６以外にも、ソレノイド等を用いることもできる。
【０１０５】
（ｃ）上記実施の形態では、大可動部材８１及び中可動部材８２を遊技球Ｂが直接接触しない部位に設置することとしているが、遊技球Ｂが直接接触しうる可動部材に具体化することもできる。かかる可動部材としては、例えば、可変入賞装置１２のシャッタ等が挙げられる。
【０１０６】
（ｄ）上記実施の形態では特に言及していないが、可動部材の背面側の所定位置に、正常動作時にはとらない姿勢をとることによりはじめて視認可能となるような情報を記しておくように構成してもよい。例えば、奥側に「故障」と記載しておくことが考えられる。かかる構成とすることで、可動部材が正常動作時にはとらない姿勢をとることにより、特定の故障を教示する情報が視認可能となり、可動部材の姿勢のみならず、視認される情報も相まって、特定の故障を認識することができる。
【０１０７】
（ｅ）上記実施の形態では、所定の条件として、確変モード時であることとしているが、所謂時間短縮モード時であることとしてもよいし、大当たり時であること等としてもよい。
【０１０８】
（ｆ）上記実施の形態では、可変表示装置１４の表示部として液晶表示部２０を採用している。しかし、これに限らず、他にも、ＣＲＴ、ドットマトリックス、ＬＥＤ（エレクトロルミネッセンス）、蛍光表示管等を可変表示装置１４の表示部として用いてもよい。
【０１０９】
（ｇ）上記実施の形態とは異なるタイプのパチンコ機等として実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当り図柄が表示された後に所定の領域に遊技球を入賞させることを必要条件として特別遊技状態となるパチンコ機として実施してもよい。さらに、羽根モノと称されるパチンコ機に適用することも可能である。また、パチンコ機以外にも、アレパチ、雀球、スロットマシン、いわゆるパチンコ機とスロットマシンとが融合した遊技機等の各種遊技機として実施することも可能である。なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段とを備えたスロットマシン」となり、この場合、遊技媒体はコイン、メダル等が代表例として挙げられる。
【０１１０】
また、パチンコ機とスロットマシンとが融合した遊技機の具体例としては、複数の図柄からなる図柄列を変動表示した後に図柄を確定表示する可変表示手段を備えており、遊技球打出用のハンドルを備えていないものが挙げられる。この場合、所定の操作（ボタン操作）に基づく、所定量の遊技球の投入の後、例えば操作レバーの操作に起因して図柄の変動が開始され、例えばストップボタンの操作に起因して或いは所定時間経過することにより図柄の変動が停止され、その停止時の確定図柄がいわゆる大当たり図柄であることを必要条件として遊技者に有利な大当たり状態が発生させられ、遊技者には、下部の受皿に多量の遊技球が払い出されるものである。
【図面の簡単な説明】
【図１】一実施の形態におけるパチンコ機を示す正面図である。
【図２】センターフレームを示す斜視図である。
【図３】センターフレームを示す正面側分解斜視図である。
【図４】センターフレームを示す背面側分解斜視図である。
【図５】直線状凸部を示す拡大部分斜視図である。
【図６】駆動伝達部材等を示す模式図である。
【符号の説明】
１…遊技機としてのパチンコ機、５…遊技盤、１３…作動チャッカー、１４…可変表示装置、２０…液晶表示部、２１…センターフレーム、７６…モータ、８１…可動部材を構成する大可動部材、８２…可動部材を構成する中可動部材、８９，９０…支持軸を構成する軸棒、９５，９６…操作軸を構成する操作子。
【図１】
2004065443.tif 000003
【図２】
2004065443.tif 000004
【図３】
2004065443.tif 000005
【図４】
2004065443.tif 000006
【図５】
2004065443.tif 000007
【図６】
2004065443.tif 000008